【手続補正書】
【提出日】平成17年8月22日(2005.8.22)
【手続補正１】
【補正対象書類名】明細書
【補正対象項目名】特許請求の範囲
【補正方法】変更
【補正の内容】
【特許請求の範囲】
【請求項１】
浴室の空気を換気する換気手段と、浴室の空気を循環する循環手段と、前記循環手段により生成される循環空気を加熱する加熱手段とを備え、前記換気手段と前記循環手段と前記加熱手段を作動させて浴室を乾燥する乾燥運転を行う浴室乾燥装置において、前記加熱手段の加熱出力を乾燥運転の途上において変更する制御手段を設けたことを特徴とする浴室乾燥装置。
【請求項２】
制御手段は、乾燥運転の開始から所定時間経過した時に加熱手段の加熱出力を低下させることを特徴とする請求項１記載の浴室乾燥装置。
【請求項３】
制御手段は、乾燥運転を開始した後、循環空気の温度が所定値を超えた時に加熱手段の加熱出力を低下させることを特徴とする請求項１記載の浴室乾燥装置。
【請求項４】
制御手段は、乾燥運転を開始した後、循環空気の湿度が所定値を下回った時に加熱手段の加熱出力を低下させることを特徴とする請求項１記載の浴室乾燥装置。
【請求項５】
制御手段は、設定された乾燥運転時間に対して予め設定した所定割合の時間が経過した時に加熱手段の加熱出力を低下させることを特徴とする請求項１記載の浴室乾燥装置。
【請求項６】
制御手段の加熱出力制御量は、加熱手段の加熱出力の最大値と最小値の２出力であることを特徴とする請求項１、２、３、４または５記載の浴室乾燥装置。
【請求項７】
循環手段の主駆動源を直流電動機としたことを特徴とする請求項１、２、３、４、５または６記載の浴室乾燥装置。
【請求項８】
換気手段の主駆動源を直流電動機としたことを特徴とする請求項１、２、３、４、５、６または７記載の浴室乾燥装置。
【請求項９】
循環手段により創出される循環空気量は、乾燥運転の開始から終了まで常に最大に維持されることを特徴とする請求項１、２、３、４、５、６、７または８記載の浴室乾燥装置。
【請求項１０】
循環空気を浴室の壁面に沿って吐出させるための第１の風向制御手段を備えたことを特徴とする請求項１、２、３、４、５、６、７、８または９記載の浴室乾燥装置。
【請求項１１】
第１の風向制御手段は、手動で循環空気の吐出方向が変更可能であることを特徴とする請求項１０記載の浴室乾燥装置。
【請求項１２】
第１の風向制御手段は、自動で循環空気の吐出方向が変更可能であることを特徴とする請求項１０記載の浴室乾燥装置。
【請求項１３】
第１の風向制御手段は、循環空気の吐出方向を変更するとともに吐出風速を変更する風速調整作用を有することを特徴とする請求項１１または１２記載の浴室乾燥装置。
【請求項１４】
第１の風向制御手段により創出される循環空気の吐出方向に対して平行に循環空気を吐出させるための第２の風向制御手段を備えたことを特徴とする請求項１０、１１、１２または１３記載の浴室乾燥装置。
【請求項１５】
第２の風向制御手段は、手動で循環空気の吐出方向が変更可能であることを特徴とする請求項１４記載の浴室乾燥装置。
【請求項１６】
第２の風向制御手段は、自動で循環空気の吐出方向が変更可能であることを特徴とする請求項１４記載の浴室乾燥装置。
【請求項１７】
第２の風向制御手段は、循環空気の吐出方向を変更するとともに吐出風速を変更する風速調整作用を有することを特徴とする請求項１５または１６記載の浴室乾燥装置。
【請求項１８】
加熱手段は、浴室内に輻射熱を照射する輻射ヒーターであることを特徴とする請求項１、２、３、４、５、６、７、８、９、１０、１１、１２、１３、１４、１５、１６または１７記載の浴室乾燥装置。
【請求項１９】
循環空気中の水分を取り去る除湿手段を備えたことを特徴とする請求項１、２、３、４、５、６、７、８、９、１０、１１、１２、１３、１４、１５、１６、１７または１８記載の浴室乾燥装置。
【請求項２０】
除湿手段は、吸湿部において通過空気より吸湿し、再生部では加熱されて脱湿し再生する吸着材と、前記吸湿部と前記再生部が連続的もしくは断続的に入れ替わるように前記吸着材を回転させる駆動手段を備え、前記吸湿部において循環空気を流通させて循環空気中の水分を吸湿させ、前記再生部において加熱手段の加熱出力の全量もしくは少なくとも一部を用いて前記吸着材を再生し、前記吸着材から脱湿した水分を換気手段により浴室外に排出することにより除湿動作を行うことを特徴とする請求項１９記載の浴室乾燥装置。
【請求項２１】
再生部において吸着材より脱湿した水分の全量もしくは一部を凝縮させる凝縮器を備え、前記凝縮器において発生する凝縮潜熱を循環空気に与え循環空気を昇温することを特徴とする請求項２０記載の浴室乾燥装置。
【請求項２２】
凝縮器に発生した結露水を浴室外へ排出する結露水排出手段を備えたことを特徴とする請求項２１記載の浴室乾燥装置。
【請求項２３】
結露水排出手段は、凝縮器に発生した結露水を蒸発気化させる蒸発手段を備え、前記蒸発手段で結露水が蒸発気化することにより発生する水蒸気を換気手段で浴室外へ排出するものであることを特徴とする請求項２２記載の浴室乾燥装置。
【請求項２４】
人検知手段、ＵＶ灯備え、人が浴室にいない時の浴室乾燥時にＵＶ灯を点灯することを特徴とする請求項１、２、３、４、５、６、７、８、９、１０、１１、１２、１３、１４、１５、１６、１７、１８、または１９記載の浴室乾燥装置。
【手続補正２】
【補正対象書類名】明細書
【補正対象項目名】０００３
【補正方法】変更
【補正の内容】
【０００３】
図２９に示すように、浴室内の天井に設置された本体１０１に浴室内の空気を換気する換気手段１０２と、浴室内の空気を循環させる循環手段１０３と、循環手段１０３により生成される循環空気を加熱する加熱手段１０４とが設けられており、換気手段１０２は、本体１０１を構成するハウジング下部に開口した吸気口１０５と、吸気口１０５より浴室の空気を吸引する換気ファン１０６と、換気ファン１０６の駆動源である換気用モータ１０７と、本体１０１内に設けた隔壁によって構成した換気風路１０８とから構成され、換気風路１０８の出口は屋外に開口した図示しないダクトに接続される排気口１０９となっている。
【手続補正３】
【補正対象書類名】明細書
【補正対象項目名】０００８
【補正方法】変更
【補正の内容】
【０００８】
また、コントローラから浴室涼風運転の指示が出された場合は、換気用モータ１０７を駆動させ換気ファン１０６を動作させるとともに、循環用モータ１１２を駆動させ循環ファン１１１を動作させる。これにより、浴室内の湿った空気を浴室の外に排出し洗面所の乾燥した空気を取り込む一方、浴室の空気が浴室内に循環して浴室への涼風の供給が行われることになる。
【手続補正４】
【補正対象書類名】明細書
【補正対象項目名】０００９
【補正方法】変更
【補正の内容】
【０００９】
また、コントローラから浴室暖房運転の指示が出された場合は、循環用モータ１１２を駆動させ循環ファン１１１を動作させるとともに、ヒーター１１４ａ、１１４ｂ、１１４ｃ全てに通電する。これにより、循環する浴室空気がヒーター１１４ａ、ヒーター１１４ｂ、ヒーター１１４ｃにより暖められ、この暖められた循環空気が浴室内を循環するので浴室内の暖房が行われることになる。
【手続補正５】
【補正対象書類名】明細書
【補正対象項目名】００１０
【補正方法】変更
【補正の内容】
【００１０】
また、コントローラより浴室の乾燥あるいは浴室内に干されている衣類を乾燥する浴室乾燥運転の指示が出された場合は、換気用モータ１０７および循環用モータ１１２を駆動させ換気ファン１０６および循環ファン１１１を動作させるとともに、ヒーター１１４ａ、１１４ｂ、１１４ｃ全てに通電する。これにより、浴室内の湿った空気を浴室の外に排出し洗面所の乾燥した空気を取り込む一方、ヒーター１１４ａ、１１４ｂ、１１４ｃにより暖められた循環空気が浴室内を循環するので、浴室内の壁面や床面、あるいは浴室内に干されている衣類が保有している水分が蒸発し乾燥が促進することになる。
【手続補正６】
【補正対象書類名】明細書
【補正対象項目名】００１１
【補正方法】変更
【補正の内容】
【００１１】
また、コントローラより浴室の乾燥あるいは浴室内に干されている衣類を少ない投入エネルギーで乾燥する省エネ浴室乾燥運転の指示が出された場合は、換気用モータ１０７および循環用モータ１１２を駆動させ換気ファン１０６および循環ファン１１１を動作させるとともに、ヒーター１１４ａのみに通電する。これにより、前記した通常の浴室乾燥運転と比較して乾燥時間は長くなるものの、乾燥運転で消費される電力量を少なくすることが可能となる。例えば温度２０℃、湿度６０％の雰囲気条件においては、通常の浴室乾燥運転モードではヒーター１１４ａ、１１４ｂ、１１４ｃ全てに通電で１２００Ｗ（一本当り４００Ｗ）で乾燥時間が３時間であったのに対し、省エネ浴室乾燥運転モードではヒーター１１４ａのみ通電で４００Ｗにて乾燥時間は６時間となり、乾燥運転で消費される電力量は２／３に低減された結果となった。
【手続補正７】
【補正対象書類名】明細書
【補正対象項目名】００１４
【補正方法】変更
【補正の内容】
【００１４】
【課題を解決するための手段】
本発明の請求項１記載の発明は上記目的を達成するために、浴室の空気を換気する換気手段と、浴室の空気を循環する循環手段と、前記循環手段により生成される循環空気を加熱する加熱手段とを備え、前記換気手段と前記循環手段と前記加熱手段を作動させて浴室を乾燥する乾燥運転を行う浴室乾燥装置において、前記加熱手段の加熱出力を乾燥運転の途上において変更する制御手段を設けた構成としたものである。そして本発明によれば、浴室内の乾燥速度を左右する浴室内の空気の水蒸気分圧に応じて制御手段により加熱手段の加熱出力を調整することにより、少ないエネルギー消費量で効率良く乾燥運転を行うことができる浴室乾燥装置が得られる。
【手続補正８】
【補正対象書類名】明細書
【補正対象項目名】００４１
【補正方法】変更
【補正の内容】
【００４１】
また、加熱手段１０４は、循環風路１１３中に在って通電されることにより輻射熱を照射する２個の輻射ヒーター３ａ、３ｂと、この輻射ヒーター３ａ、３ｂの輻射熱を全て浴室方向に反射するための反射板４から構成され、これら輻射ヒーター３ａ、３ｂの作動と換気用直流モータ１の駆動、即ち換気ファン１０６の作動、循環用直流モータ２の駆動、即ち循環ファン１１１の作動を各々選択的に操作することにより、浴室換気運転、浴室涼風運転、浴室暖房運転、浴室乾燥運転を行う制御手段５を設けた構成となっている。制御手段５には換気用直流モータ１、循環用直流モータ２および輻射ヒータ３ａ、３ｂの作動を制御する制御部６の他にコントローラからの運転指示を受ける受信部７と、運転時間を積算するタイマー８とを備えている。
【手続補正９】
【補正対象書類名】明細書
【補正対象項目名】００４２
【補正方法】変更
【補正の内容】
【００４２】
以上の構成において、次に運転動作を説明する。浴室換気運転、浴室涼風運転、浴室暖房運転の各々の運転モードにおける換気用直流モータ１の駆動、即ち換気ファン１０６の作動、循環用直流モータ２の駆動、即ち循環ファン１１１の作動、輻射ヒーター３ａ、３ｂの作動は従来例と同様であり、ここでは浴室乾燥運転モードにおける詳細動作を説明する。図２は本発明の第１の実施例における浴室乾燥装置の浴室乾燥運転時の動作を示す動作説明図である。図２に示すように図示しないコントローラより浴室の乾燥あるいは浴室内に干されている衣類を乾燥する浴室乾燥運転の指示が出された場合は、換気用直流モータ１を駆動させ換気ファン１０６を所定換気量が維持できるように動作させるとともに、循環用直流モータ２を駆動させ循環ファン１１１の回転数を最大に、即ち浴室内を循環する循環風量が最大となるように動作させる。更に輻射ヒーター３ａ、３ｂに通電し浴室に輻射熱を照射するとともにタイマー８をスタートさせて浴室乾燥運転時間の積算を開始する。
【手続補正１０】
【補正対象書類名】明細書
【補正対象項目名】００４３
【補正方法】変更
【補正の内容】
【００４３】
浴室乾燥運転中は、循環ファン１１１により循環する浴室空気は、循環風路１１３に在る輻射ヒーター３ａ、３ｂにより加熱されて循環を繰り返す。この循環により浴室空気の水蒸気分圧は低下し、この水蒸気分圧の低い浴室内の空気が循環用直流モータ２で最大回転数で回っている循環ファン１１１によって高風量で浴室内を撹拌するため、浴室の壁面や床面に付着した水分の蒸発作用が高められ浴室内の乾燥が行われる。加えて輻射ヒーター３ａ、３ｂから照射される輻射熱によって輻射熱を受けた壁面や床面に付着した水分の蒸発が更に促される。これらの動作によって蒸発した水分は水蒸気となって浴室内の空気に含まれ換気ファン１０６の運転により吸気口１０５から換気風路１０８を通って浴室外へ排出され、図示しない浴室ドアに設けられたグリルより吸気される湿度の低い空気と入れ替わって浴室内の空気の水蒸気分圧が低下していくことになる。
【手続補正１１】
【補正対象書類名】明細書
【補正対象項目名】００４６
【補正方法】変更
【補正の内容】
【００４６】
輻射ヒーター３ａ、３ｂが停止した後でも、浴室内の空気の水蒸気分圧は十分低下しているので、その低い水蒸気分圧の空気を循環ファン１１２により浴室内において撹拌することにより、浴室の壁面や床面に付着した水分の蒸発作用の効果は継続し浴室内の乾燥は促進することになる。
【手続補正１２】
【補正対象書類名】明細書
【補正対象項目名】００５８
【補正方法】変更
【補正の内容】
【００５８】
（実施例２）
本実施例において、実施例１と同一部分については同一の記号を付し、詳細な説明は省略する。ここでは浴室乾燥運転時の輻射ヒーター３ａ、３ｂの通電停止判断を循環空気の温度を用いて実行する場合について述べる。
【手続補正１３】
【補正対象書類名】明細書
【補正対象項目名】００５９
【補正方法】変更
【補正の内容】
【００５９】
図５は本発明の第２の実施例における浴室乾燥装置の概略構成を示した概略断面図である。図５に示したように、循環風路１１３内に吸気口１０５より吸込まれる循環空気の温度を検出する温度センサ９を設け、制御手段５はこの温度センサ９の検出温度を取りこんで、輻射ヒーター３ａ、３ｂの作動と換気用直流モータ１の駆動、即ち換気ファン１０６の作動、循環用直流モータ２の駆動、即ち循環ファン１１１の作動を操作する構成となっている。
【手続補正１４】
【補正対象書類名】明細書
【補正対象項目名】００６１
【補正方法】変更
【補正の内容】
【００６１】
浴室換気運転、浴室涼風運転、浴室暖房運転の各々の運転モードにおける換気用直流モータ１の駆動、即ち換気ファン１０６の作動、循環用直流モータ２の駆動、即ち循環ファン１１１の作動、輻射ヒーター３ａ、３ｂの作動は従来例と同様であり、ここでは浴室乾燥運転モードにおける詳細動作を説明する。図６は本発明の第２の実施例における浴室乾燥装置の浴室乾燥運転時の動作を示す動作説明図である。図６に示すように図示しないコントローラより浴室の乾燥あるいは浴室内に干されている衣類を乾燥する浴室乾燥運転の指示が出された場合は、換気用直流モータ１を駆動させ換気ファン１０６を所定換気量が維持できるように動作させるとともに、循環用直流モータ２を駆動させ循環ファン１１１の回転数を最大に、即ち浴室内を循環する循環風量が最大となるように動作させる。更に輻射ヒーター３ａ、３ｂに通電し浴室に輻射熱を照射するとともに温度センサ９が検出する吸気口１０５より本体１０１に吸込まれる循環空気の温度、即ち浴室温度を制御手段５に取り込む。
【手続補正１５】
【補正対象書類名】明細書
【補正対象項目名】００６２
【補正方法】変更
【補正の内容】
【００６２】
浴室乾燥運転中は、循環ファン１１１により循環する浴室空気は、循環風路１１３に在る輻射ヒーター３ａ、３ｂにより加熱されて循環を繰り返す。この循環により浴室空気の水蒸気分圧は低下し、この水蒸気分圧の低い浴室内の空気が循環用直流モータ２で最大回転数で回っている循環ファン１１１によって高風量で浴室内を撹拌するため、浴室の壁面や床面に付着した水分の蒸発作用が高められ浴室内の乾燥が行われる。加えて輻射ヒーター３ａ、３ｂから照射される輻射熱によって輻射熱を受けた壁面や床面に付着した水分の蒸発が更に促される。これらの動作によって蒸発した水分は水蒸気となって浴室内の空気に含まれ換気ファン１０６の運転により吸気口１０５から換気風路１０８を通って浴室外へ排出され、図示しない浴室ドアに設けられたグリルより吸気される湿度の低い空気と入れ替わって浴室内の空気の水蒸気分圧が低下していくことになる。
【手続補正１６】
【補正対象書類名】明細書
【補正対象項目名】００６５
【補正方法】変更
【補正の内容】
【００６５】
輻射ヒーター３ａ、３ｂが停止した後でも、浴室内の空気の水蒸気分圧は十分低下しているので、その低い水蒸気分圧の空気を循環ファン１１１により浴室内において撹拌することにより、浴室の壁面や床面に付着した水分の蒸発作用の効果は継続し浴室内の乾燥は促進することになる。
【手続補正１７】
【補正対象書類名】明細書
【補正対象項目名】００６７
【補正方法】変更
【補正の内容】
【００６７】
以上のように本実施例の浴室乾燥装置は、制御手段５により浴室乾燥運転の開始時は輻射ヒーター３ａ、３ｂ共に運転し最大の加熱出力を循環空気に与えて温度を高め、浴室内の空気の水蒸気分圧を急速に低下させて乾燥を促進し、浴室内の空気温度が所定値Ｋまで上昇して浴室内の空気の水蒸気分圧が十分低下した後に輻射ヒーター３ａ、３ｂへの通電を停止し、高温となった浴室内の空気が換気動作により浴室外に排出させることにより生じる熱エネルギーロスを抑制しつつ、水蒸気分圧が下がった乾燥空気を循環させて水分の蒸発を促しながら、換気動作によって浴室外の乾燥空気との入替えを実行するものであるから、少ないエネルギー消費量で効率良く浴室乾燥運転を行うことができるのである。
【手続補正１８】
【補正対象書類名】明細書
【補正対象項目名】００７１
【補正方法】変更
【補正の内容】
【００７１】
（実施例３）
本実施例において、実施例１および実施例２と同一部分については同一の記号を付し、詳細な説明は省略する。ここでは浴室乾燥運転時の輻射ヒーター３ａ、３ｂの通電停止判断を循環空気の湿度を用いて実行する場合について述べる。
【手続補正１９】
【補正対象書類名】明細書
【補正対象項目名】００７２
【補正方法】変更
【補正の内容】
【００７２】
図８は本発明の第３の実施例における浴室乾燥装置の概略構成を示した概略断面図である。図８に示したように、循環風路１１３内に吸気口１０５より吸込まれる循環空気の湿度を検出する湿度センサ１０を設け、制御手段５はこの湿度センサ１０の検出湿度を取りこんで、輻射ヒーター３ａ、３ｂの作動と換気用直流モータ１の駆動、即ち換気ファン１０６の作動、循環用直流モータ２の駆動、即ち循環ファン１１１の作動を操作する構成となっている。
【手続補正２０】
【補正対象書類名】明細書
【補正対象項目名】００７３
【補正方法】変更
【補正の内容】
【００７３】
以上の構成において、次に運転動作を説明する。浴室換気運転、浴室涼風運転、浴室暖房運転の各々の運転モードにおける換気用直流モータ１の駆動、即ち換気ファン１０６の作動、循環用直流モータ２の駆動、即ち循環ファン１１１の作動、輻射ヒーター３ａ、３ｂの作動は従来例と同様であり、ここでは浴室乾燥運転モードにおける詳細動作を説明する。図９は本発明の第３の実施例における浴室乾燥装置の浴室乾燥運転時の動作を示す動作説明図である。図９に示すように図示しないコントローラより浴室の乾燥あるいは浴室内に干されている衣類を乾燥する浴室乾燥運転の指示が出された場合は、換気用直流モータ１を駆動させ換気ファン１０６を所定換気量が維持できるように動作させるとともに、循環用直流モータ２を駆動させ循環ファン１１１の回転数を最大に、即ち浴室内を循環する循環風量が最大となるように動作させる。更に輻射ヒーター３ａ、３ｂに通電し浴室に輻射熱を照射するとともに湿度センサ１０が検出する吸気口１０５より本体１０１に吸込まれる循環空気の湿度、即ち浴室湿度を制御手段５に取り込む。
【手続補正２１】
【補正対象書類名】明細書
【補正対象項目名】００７４
【補正方法】変更
【補正の内容】
【００７４】
浴室乾燥運転中は、循環ファン１１１により循環する浴室空気は、循環風路１１３に在る輻射ヒーター３ａ、３ｂにより加熱されて循環を繰り返す。この循環により浴室空気の水蒸気分圧は低下し、この水蒸気分圧の低い浴室内の空気が循環用直流モータ２で最大回転数で回っている循環ファン１１１によって高風量で浴室内を撹拌するため、浴室の壁面や床面に付着した水分の蒸発作用が高められ浴室内の乾燥が行われる。加えて輻射ヒーター３ａ、３ｂから照射される輻射熱によって輻射熱を受けた壁面や床面に付着した水分の蒸発が更に促される。これらの動作によって蒸発した水分は水蒸気となって浴室内の空気に含まれ換気ファン１０６の運転により吸気口１０５から換気風路１０８を通って浴室外へ排出され、図示しない浴室ドアに設けられたグリルより吸気される湿度の低い空気と入れ替わって浴室内の空気の水蒸気分圧が低下していくことになる。
【手続補正２２】
【補正対象書類名】明細書
【補正対象項目名】００７７
【補正方法】変更
【補正の内容】
【００７７】
輻射ヒーター３ａ、３ｂが停止した後でも、浴室内の空気の水蒸気分圧は十分低下しているので、その低い水蒸気分圧の空気を循環ファン１１１により浴室内において撹拌することにより、浴室の壁面や床面に付着した水分の蒸発作用の効果は継続し浴室内の乾燥は促進することになる。
【手続補正２３】
【補正対象書類名】明細書
【補正対象項目名】００７９
【補正方法】変更
【補正の内容】
【００７９】
以上のように本実施例の浴室乾燥装置は、制御手段５により浴室乾燥運転の開始時は輻射ヒーター３ａ、３ｂ共に運転し最大の加熱出力を循環空気に与えて温度を高め、浴室内の空気の水蒸気分圧を急速に低下させて乾燥を促進し、浴室内の空気湿度が所定値Ｈまで減少して浴室内の空気の水蒸気分圧が十分低下した後に輻射ヒーター３ａ、３ｂへの通電を停止し、高温となった浴室内の空気が換気動作により浴室外に排出させることにより生じる熱エネルギーロスを抑制しつつ、水蒸気分圧が下がった乾燥空気を循環させて水分の蒸発を促しながら、換気動作によって浴室外の乾燥空気との入替えを実行するものであるから、少ないエネルギー消費量で効率良く浴室乾燥運転を行うことができるのである。
【手続補正２４】
【補正対象書類名】明細書
【補正対象項目名】００８５
【補正方法】変更
【補正の内容】
【００８５】
また、前記第１の風向制御手段１１において別の方式について説明する。図１２の上段、及び下段の図は本体１０１を構成するハウジングの下部に開口した吸気口１０５と吐出口１１０の近傍のみの断面図を示した図である。図１２の上段、及び下段の図に示すように第１の風向制御手段１１に第１の連結桟１４により複数個の第１の風向制御手段１１を連結し、その第１の連結桟１４に第１の取っ手１５を有する構成とする。
【手続補正２５】
【補正対象書類名】明細書
【補正対象項目名】０１１８
【補正方法】変更
【補正の内容】
【０１１８】
また、除湿手段２８は循環風路１１３と換気風路１０８にまたがって配され、循環風路１１３に位置する吸湿部３１において循環空気より吸湿し、換気風路１０８に位置する再生部３２では加熱されて脱湿する吸着材３３と、吸湿部３１と再生部３２が連続的に入れ替わるように吸着材３３を回転させる駆動手段としての駆動モータ３４と再生部３２を加熱する加熱手段１０４としてのセラミックヒーター３５とを備えており、再生部３２において吸着材３３より脱湿した水分を凝縮器２９により凝縮させる構成となっている。
【手続補正２６】
【補正対象書類名】明細書
【補正対象項目名】０１１９
【補正方法】変更
【補正の内容】
【０１１９】
また、結露水排水手段３０は凝縮器２９に発生した結露水を蒸発気化させる蒸発手段としての気化フィルター３６を備え、再生部３２において吸着材３３から脱湿した水分を吸着材３３から送り出すために吸着材３３の再生部３２に流通する再生用空気と気化フィルター３６において結露水を蒸発気化させるために気化フィルター３６を通過する蒸発用空気は共に換気ファン１０６の運転により吸気口１０５から本体１０１内に吸気される浴室の空気が用いられ、再生部３２において吸着材３３より脱湿した水分を含んだ再生用空気と気化フィルター３６において蒸発気化する結露水を含んだ蒸発用空気は共に換気ファン１０６に吸込まれ換気風路１０８を通って排気口１０９より浴室外へ排気される構成となっている。
【手続補正２７】
【補正対象書類名】明細書
【補正対象項目名】０１２２
【補正方法】変更
【補正の内容】
【０１２２】
以上の構成において、次に運転動作を説明する。浴室換気運転、浴室涼風運転、の各運転モードにおける換気用直流モータ１の駆動、即ち換気ファン１０６の作動、循環用直流モータ２の駆動、即ち循環ファン１１１の作動は従来例と同様であり、ここでは浴室乾燥運転モードにおける詳細動作を説明する。図２０は本発明の第５の実施例における浴室乾燥装置の除湿動作を伴う浴室乾燥運転時の動作を示す動作説明図である。図２０に示すように図示しないコントローラより浴室の乾燥あるいは浴室内に干されている衣類を乾燥する浴室乾燥運転の指示が出された場合は、換気用直流モータ１を駆動させ換気ファン１０６を所定換気量が維持できるように動作させるとともに、循環用直流モータ２を駆動させ循環ファン１１１の回転数を最大に、即ち浴室内を循環する循環風量が最大となるように動作させる。更に駆動モータ３４に通電し吸着材３３を回転駆動するとともに、セラミックヒーター３５に通電し吸着材３３の再生部３２を加熱して吸着材３３の再生が可能なように動作させる。
【手続補正２８】
【補正対象書類名】明細書
【補正対象項目名】０１２３
【補正方法】変更
【補正の内容】
【０１２３】
循環ファン１１１の運転により浴室内を循環する循環空気は、図中実線矢印に示すように吸気口１０５より本体１０１内に入り、凝縮器２９の外部通路３８を通過する。この時、凝縮器２９の内部通路３７を流れる高湿状態の再生空気を冷却し結露させるので、結露させた水分量に相当する凝縮熱が循環空気に与えられ昇温されて吸着材３３の吸湿部３１に供給される。吸湿部３１において循環空気中の水分は吸着材３３に吸湿され低湿状態となると共に吸着熱を付与されて更に昇温され、高温低湿空気となって吐出口１１０から浴室内に吐出する。この循環を繰り返すことにより浴室内の空気は温度が上昇すると共に除湿されるので水蒸気分圧が急速に低下して浴室内の壁面や床面に付着した水分の蒸発作用が促進することになる。
【手続補正２９】
【補正対象書類名】明細書
【補正対象項目名】０１３３
【補正方法】変更
【補正の内容】
【０１３３】
また、浴室乾燥運転開始からセラミックヒーター３５、駆動モータ３４の通電を切るまでの所定時間Δｔは予め設定するのではなく、コントローラにより設定された乾燥運転時間の所定割合としても良い。例えば所定割合を２５％に予め設定し、浴室乾燥運転の設定時間が４時間の場合にはセラミックヒータ３５および駆動モータ３４の通電時間を運転開始から４時間×２５％＝１時間、浴室乾燥運転の設定時間が８時間の場合にはセラミックヒータ３５および駆動モータ３４の通電時間を運転開始から８時間×２５％＝２時間とし、浴室乾燥運転の設定時間が１２時間の場合にはセラミックヒータ３５および駆動モータ３４の通電時間を運転開始から１２時間×２５％＝３時間として選択余地を高めることにより、様々な浴室サイズや多様な条件に見合った浴室乾燥運転を実行するようにしても良い。
【手続補正３０】
【補正対象書類名】明細書
【補正対象項目名】０１４２
【補正方法】変更
【補正の内容】
【０１４２】
（実施例６）
本実施例において、実施例１と実施例２、及び実施例３、実施例４と同一部分については同一の記号を付し、詳細な説明は省略する。図２８は実施例における浴室乾燥装置の概略構成を示したものである。図２８に示すように、人検知手段としての人検知センサー４６をグリル４８に設け、吐出口１１０の近傍にはＵＶ灯４７を複数個設け、制御部５から信号を送り制御する構成とする。前記構成のＵＶ灯４７の運転動作について説明する。図示しないコントローラーから浴室乾燥運転信号が制御部５に送信され、浴室乾燥運転を開始するが、このとき、人検知センサー４６にて浴室内に人、及び動物等の動くものがないかを検知し、もしなければ、ＵＶ灯４７に点灯信号を送信する。信号を受けＵＶ灯４７は点灯し、浴室内へＵＶ線を放射する。浴室乾燥運転途中にて人検知センサー４６にて人等の動くものを検知した場合は瞬時に放射を止める信号をＵＶ灯４７に送信するような制御とする。また、浴室乾燥運転終了と同時にＵＶ灯４７の放射も終了する。
【手続補正３１】
【補正対象書類名】明細書
【補正対象項目名】０１６６
【補正方法】変更
【補正の内容】
【０１６６】
また、結露水排出手段は、凝縮器に発生した結露水を蒸発気化させる蒸発手段を備え、蒸発手段で結露水が蒸発気化することにより発生する水蒸気を換気手段で浴室外へ排出する構成とし、凝縮器に発生した結露水を蒸発手段により蒸発気化させ、気化した水分を含む水蒸気を換気手段により浴室外に排出することにより、結露水の手動での排水作業を生じること無く、除湿した水分を凝縮させ、その凝縮熱を循環空気に与えて、浴室内の空気の水蒸気分圧の低下を促し、浴室の壁面あるいは床面に付着した水分の蒸発作用を促進して効率的な乾燥運転を行うことができるという効果のある浴室乾燥装置を提供できる。
【手続補正３２】
【補正対象書類名】明細書
【補正対象項目名】図面の簡単な説明
【補正方法】変更
【補正の内容】
【図面の簡単な説明】
【図１】
本発明の実施例１の浴室乾燥装置の概略構成を示す概略断面図
【図２】
同浴室乾燥装置の浴室乾燥運転時の動作を示す動作説明図
【図３】
同浴室乾燥装置の浴室乾燥運転開始から輻射ヒーターの通電を切るまでの所定時間を乾燥運転時間の所定割合とした場合の動作説明図
【図４】
同浴室乾燥装置の浴室乾燥運転開始から輻射ヒーターの通電を停止するまでの他の動作を示す動作説明図
【図５】
本発明の実施例２の浴室乾燥装置の概略構成を示す概略断面図
【図６】
同浴室乾燥装置の浴室乾燥運転時の動作を示す動作説明図
【図７】
同浴室乾燥装置の浴室乾燥運転開始から温度センサにより検出される循環空気温度によって輻射ヒーターの通電を停止するまでの他の動作を示す動作説明図
【図８】
本発明の実施例３の浴室乾燥装置の概略構成を示す概略断面図
【図９】
同浴室乾燥装置の浴室乾燥運転時の動作を示す動作説明図
【図１０】
同浴室乾燥装置の浴室乾燥運転開始から湿度センサにより検出される循環空気湿度によって輻射ヒーターの通電を停止するまでの他の動作を示す動作説明図
【図１１】
本発明の実施例４の浴室乾燥装置の第１の風向制御手段１１の概略構成を示す概略断面図
【図１２】
同浴室乾燥装置の第１の風向制御手段を手動にて可変する場合の第１の風向制御手段の動きを説明する概略断面図
【図１３】
同浴室乾燥装置の第１の風向制御手段を自動で可変する場合の第１の風向制御手段の動きを説明する概略断面図
【図１４】
同浴室乾燥装置の第１の風向制御手段と第２の風向制御手段を自動で可変する場合の第１の風向制御手段と第２の風向制御手段の動きを説明する概略断面図
【図１５】
同浴室乾燥装置の第３の風向手段の構成を示す概略断面図
【図１６】
同浴室乾燥装置の第３の風向手段を手動にて可変する場合の第３の風向制御手段の動きを説明する略断面図
【図１７】
同浴室乾燥装置の第３の風向手段を自動にて可変する場合の第３の風向制御手段の動きを説明する概略断面図
【図１８】
本発明の実施例５の浴室乾燥装置の概略構成を示す概略断面図
【図１９】
同浴室乾燥装置の吸着材の構成を示す構成説明図
【図２０】
同浴室乾燥装置の除湿動作を伴う浴室乾燥運転時の動作を示す動作説明図
【図２１】
同浴室乾燥装置の吸気口から直接換気ファンに吸気させる風路を設けた場合の構成の一例を示す概略構成図
【図２２】
同浴室乾燥装置の再生用空気を凝縮器の内部通路、セラミックヒーター、吸着材の再生部を循環させる場合の構成の一例を示す概略構成図
【図２３】
同浴室乾燥装置の循環空気の一部を吸湿部に供給させる場合の構成の一例を示す概略構成図
【図２４】
同浴室乾燥装置の循環空気の一部を凝縮器の外部通路に供給させる場合の構成の一例を示す概略構成図
【図２５】
同浴室乾燥装置の浴室暖房運転を行う場合の動作の一例を示す動作説明図
【図２６】
同浴室乾燥装置の循環風路の吐出口近傍に輻射ヒーターを設けた場合の構成の一例を示す概略構成図
【図２７】
同浴室乾燥装置の１つの送風ファンで換気動作、循環動作の双方を行う場合の概略構成および動作の一例を示す説明図
【図２８】
本発明の実施例６の人検知センサー、ＵＶ灯を設けた浴室乾燥装置の概略構成の概略断面図
【図２９】
従来の浴室乾燥装置の概略構成の概略断面図
【図３０】
従来の浴室乾燥装置の概略設置図
【符号の説明】
１        換気用直流モータ
２        循環用直流モータ
３ａ      輻射ヒーター
３ｂ      輻射ヒーター
４        反射板
５        制御手段
６        制御部
７        受信部
８        タイマー
９        温度センサ
１０      湿度センサ
１１      第１の風向制御手段
１２      循環空気の吐出方向に対して正面に位置する浴室壁面
１３      吸気口側に位置する浴室壁面
１４      第１の連結桟
１５      第１の取っ手
１６      第１の駆動用モーター
１７      第１の駆動制御手段
１８      第２の風向制御手段
１９      第２の連結桟
２０      第２の駆動用モーター
２１      吐出風通過風路
２２ａ、２２ｂ        第３の風向制御手段
２３ａ、２３ｂ        吐出される循環空気に対して平行側に配置される浴室壁面
２４ａ、２４ｂ        第３の連結桟
２５ａ、２５ｂ        第３の取っ手
２６ａ、２６ｂ        第３の駆動用モーター
２７      第３の駆動制御手段
２８      除湿手段
２９      凝縮器
３０      結露水排出手段
３１      吸湿部
３２      再生部
３３      吸着材
３４      駆動モータ
３５      セラミックヒーター
３６      気化フィルター
３７      内部通路
３８      外部通路
３９      平面紙
４０      波型紙
４１      小透孔
４２      再生空気用ファン
４３      輻射ヒーター
４４      送風ファン
４５      ダンパー
４６      人検知センサー
４７      ＵＶ灯
１０１    本体
１０２    換気手段
１０３    循環手段
１０４    加熱手段
１０５    吸気口
１０６    換気ファン
１０７    換気用モータ
１０８    換気風路
１０９    排気口
１１０    吐出口
１１１    循環ファン
１１２    循環用モータ
１１３    循環風路
１１４ａ  ヒーター
１１４ｂ  ヒーター
１１４ｃ  ヒーター
【手続補正３３】
【補正対象書類名】図面
【補正対象項目名】図１
【補正方法】変更
【補正の内容】
【図１】
2004093008.tif 000001
【手続補正３４】
【補正対象書類名】図面
【補正対象項目名】図５
【補正方法】変更
【補正の内容】
【図５】
2004093008.tif 000002
【手続補正３５】
【補正対象書類名】図面
【補正対象項目名】図２８
【補正方法】変更
【補正の内容】
【図２８】
2004093008.tif 000003